(57)【要約】【課題】子供のように成長するにつれて顔の変化が起こり易い場合は、カメラに登録した顔画像の更新を通知する周期は短くてよいが、ある程度成人した人物の場合は、長くてよい。【解決手段】画像処理装置は、登録顔画像の情報から人物の年齢を評価し、当該年齢に従って顔画像の更新をユーザに通知するための通知期間を決定し、登録情報および決定された通知期間に基いて、決定された通知期間が経過しているかどうかを判定してユーザに顔画像の更新に関する情報を通知する。【選択図】図３
2014182485.tif 000002
【特許請求の範囲】
【請求項１】
人物の顔画像を登録する登録手段を備えた画像処理装置において、
前記登録手段により登録された顔画像とその属性情報を含む人物情報を記憶媒体に記憶する記憶手段と、
前記記憶媒体に記憶されている人物情報から所定の情報を取得し、当該取得された情報から評価される前記人物の年齢に応じて、前記記憶媒体に記憶されている前記顔画像の更新をユーザに通知するための通知期間を決定する決定手段と、
前記人物情報および前記決定された通知期間に基づいて、前記決定手段で決定された通知期間が経過しているかどうかを判定する判定手段と、
前記判定手段の判定の結果に従って、前記ユーザに顔画像の更新に関する情報を通知する通知手段と、
前記通知手段による前記情報の通知に応じて取得された前記ユーザの指示に従って、前記登録手段により前記顔画像の更新処理を行なう更新手段と
を備えることを特徴とする画像処理装置。
【請求項２】
前記所定の情報は前記人物の年齢に係わる情報であり、前記記憶手段は年齢と通知期間との対応を示す対応情報を前記記憶媒体に記憶し、前記決定手段は前記記憶された対応情報に従って、前記年齢に係わる情報に基づいて前記通知期間を算出する算出手段を有することを特徴とする請求項１に記載の画像処理装置。
【請求項３】
前記決定手段は、前記年齢に係わる情報に代わって、前記顔画像の特徴量を算出して前記人物の年齢を推定し、前記推定した年齢を前記記憶手段により前記記憶媒体に前記属性情報として記憶するとともに、前記記憶された対応情報に従って、前記推定した年齢に基づいて前記通知期間を算出することを特徴とする請求項２に記載の画像処理装置。
【請求項４】
前記所定の情報は前記顔画像の撮影モードの情報であり、前記記憶手段は複数の撮影モードと複数の通知期間とを対応させる対応情報を前記記憶媒体に記憶し、前記決定手段は前記記憶された対応情報に従って前記顔画像の通知期間を決定することを特徴とする請求項１に記載の画像処理装置。
【請求項５】
前記所定の情報は、前記登録された顔画像の特徴と前記更新手段により更新された顔画像の特徴との間の変化量であり、前記更新手段は顔画像の更新時に前記変化量を算出して前記記憶手段により前記記憶媒体に記憶し、前記記憶手段は変化量と通知期間とを対応させる対応情報を前記記憶媒体に記憶し、前記決定手段は前記記憶された対応情報に従って前記通知期間を決定することを特徴とする請求項１に記載の画像処理装置。
【請求項６】
前記決定手段は、前記決定した通知期間を前記更新された顔画像に関連して前記記憶手段により前記記憶媒体に記憶し、前記判定手段は前記記憶された通知期間に基いて判定を行なうことを特徴とする請求項５に記載の画像処理装置。
【請求項７】
前記属性情報は、前記人物に関する情報および前記顔画像の撮影に関する情報であることを特徴とする請求項１乃至６のいずれか一項に記載の画像処理装置。
【請求項８】
前記対応情報は、年齢が小さいほど通知期間が短く、年齢が上がるにつれて通知期間が長くなる情報であることを特徴とする請求項２乃至７のいずれか一項に記載の画像処理装置。
【請求項９】
前記更新手段は、前記登録されている顔画像に基づいて撮影画像に含まれる顔画像を識別し、前記識別した顔画像を抽出して前記記憶手段により前記記憶媒体に更新画像として記憶することを特徴とする請求項１乃至８のいずれか一項に記載の画像処理装置。
【請求項１０】
前記記憶手段は前記属性情報として前記登録手段が前記顔画像を登録した後に前記人物を撮影した回数を前記記憶媒体に記憶し、前記通知手段は前記撮影回数が所定の閾値以下の場合は、顔画像の削除に関する情報を通知することを特徴とする請求項１乃至９のいずれか一項に記載の画像処理装置。
【請求項１１】
前記記憶手段は属性情報として前記登録手段が前記顔画像を登録した後に前記人物が最後に撮影された最後の撮影日を前記記憶媒体に記憶し、前記判定手段は前記最後の撮影日に基づいて前記決定された通知期間の経過を判定する前記判定手段が前記通知期間が経過していると判定した場合は、前記通知手段は前記顔画像の削除に関する情報を通知することを特徴とする請求項１乃至９のいずれか一項に記載の画像処理装置。
【請求項１２】
前記人物情報は、各人物について所定の複数枚の画像を前記登録された顔画像として含み、前記判定手段は、前記複数枚の画像について通知期間が経過しているかどうかを判定し、前記通知手段は、前記判定手段が通知期間が経過していると判定した画像の枚数に従って、前記ユーザに通知する情報を変更することを特徴とする請求項１乃至１１のいずれか一項に記載の画像処理装置。
【請求項１３】
被写体の画像を撮影するための撮像手段を備える撮像装置において、
請求項１乃至１２のいずれか一項に記載の画像処理装置と、
前記画像処理装置を制御して顔認識を行う制御手段と
を備えることを特徴とする撮像装置。
【請求項１４】
前記通知手段で通知された前記顔画像の更新に関する情報を表示する表示手段を備え、
前記制御手段は、前記表示手段に表示された前記顔画像の更新に関する情報に対して前記ユーザが行なった操作を検出し、前記更新手段は前記検出された操作に対応する指示に従って前記更新処理を行なうことを特徴とする請求項１３に記載の撮像装置。
【請求項１５】
前記制御手段は、前記撮像装置が起動されたとき、前記撮像手段による前記被写体の画像の撮影が終了したとき、前記撮像手段による前記被写体の画像の撮影が行なわれているときのいずれかにおいて前記画像処理装置を動作させることを特徴とする請求項１３又は１４に記載の撮像装置。
【請求項１６】
前記制御手段は、前記判定手段が通知期間が経過していると判定した画像の枚数に従って、前記ユーザに対して前記撮像装置による撮影を許可するかどうかを決定し、前記決定に従って前記撮影装置の撮影動作を制御することを特徴とする請求項１３乃至１５のいずれか一項に記載の撮像装置。
【請求項１７】
人物の顔画像を登録する登録手段を備える画像処理装置の制御方法において、
前記登録手段により登録された顔画像とその属性情報を含む人物情報を記憶媒体に記憶する記憶ステップと、
前記記憶媒体に記憶されている人物情報から所定の情報を取得し、当該取得された情報から評価される前記人物の年齢に応じて、前記記憶媒体に記憶されている前記顔画像の更新をユーザに通知するための通知期間を決定する決定ステップと、
前記人物情報および前記決定された通知期間に基づいて、前記決定ステップで決定された通知期間が経過しているかどうかを判定する判定ステップと、
前記判定ステップの判定の結果に従って、前記ユーザに顔画像の更新に関する情報を通知する通知ステップと、
前記通知ステップによる前記情報の通知に応じて取得された前記ユーザの指示に従って、前記登録手段により前記顔画像の更新処理を行なう更新ステップと
を備えることを特徴とする制御方法。
【請求項１８】
人物の顔画像を登録する登録手段を備えた画像処理装置が行なう画像処理を制御するプログラムにおいて、
コンピュータを、
前記登録手段により登録された顔画像とその属性情報を含む人物情報を記憶媒体に記憶する記憶手段、
前記記憶媒体に記憶されている人物情報から所定の情報を取得し、当該取得された情報から評価される前記人物の年齢に応じて、前記記憶媒体に記憶されている前記顔画像の更新をユーザに通知するための通知期間を決定する決定手段、
前記人物情報および前記決定された通知期間に基づいて、前記決定手段で決定された通知期間が経過しているかどうかを判定する判定手段、
前記判定手段の判定の結果に従って、前記ユーザに顔画像の更新に関する情報を通知する通知手段、
前記通知手段による前記情報の通知に応じて取得された前記ユーザの指示に従って、前記登録手段により前記顔画像の更新処理を行なう更新手段
として機能させるためのプログラム。
【請求項１９】
請求項１８のプログラムを記録したコンピュータが読み取り可能な記憶媒体。
【請求項２０】
コンピュータを、請求項１乃至１２のいずれか一項に記載された画像処理装置の各手段として機能させるプログラム。
【請求項２１】
コンピュータを、請求項１乃至１２のいずれか一項に記載された画像処理装置の各手段として機能させるプログラムを格納した記憶媒体。
【発明の詳細な説明】
【技術分野】
【０００１】
本発明は、カメラなどの撮像装置が有する顔認識機能、特に顔認識機能のための画像処理装置およびその制御方法に関する。
【背景技術】
【０００２】
顔画像をカメラに登録して、撮影中に顔認識を行い、また撮影した画像に対して人物検索を行うことができるカメラが知られている。特に、カメラに登録している顔画像が古くなると、新しい顔画像を登録して更新することを促す構成のカメラが知られている。例えば、特許文献１には、カメラに登録している顔画像の撮影日と現在日の差分が所定の間隔以上古くなっている場合は、メッセージを通知するカメラが開示されている。
【先行技術文献】
【特許文献】
【０００３】
【特許文献１】特開２００３−１５０９３２号公報
【発明の概要】
【発明が解決しようとする課題】
【０００４】
子供のように成長するにつれて顔の変化が起こり易い場合は、顔認識のためにカメラに登録した顔画像を更新する周期は短くてよい。また、ある程度成人した人物の場合は、顔の変化が少ないことが予想されるので、顔画像を更新する周期は長くてよい。しかし、更新を促すメッセージの通知間隔が一定である場合は、子供の顔の変化に対しては通知期間が長すぎて子供の認識率が下がってしまい、大人にとっては短いために通知が煩わしくなる可能性がある。そこで、本発明は、カメラに顔画像を登録している人物の年齢に応じて、適切なタイミングで顔画像の更新メッセージを通知することができる画像処理装置を提供することを目的とする。
【課題を解決するための手段】
【０００５】
本発明によれば、画像処理装置は人物の顔画像を登録する登録手段と登録手段により登録された顔画像とその属性情報を含む人物情報を記憶媒体に記憶する記憶手段とを備え、記憶されている人物情報から所定の情報を取得し、当該取得された情報から評価される人物の年齢に応じて、記憶されている顔画像の更新をユーザに通知するための通知期間を決定し、人物情報および決定された通知期間に基づいて、決定された通知期間が経過しているかどうかを判定し、判定の結果に従って、ユーザに顔画像の更新に関する情報を通知し、情報の通知に応じて取得されたユーザの指示に従って、登録手段により前記顔画像の更新処理を行う。
【発明の効果】
【０００６】
本発明によれば、カメラに登録している人物の年齢に応じて、適切なタイミングで顔画像の更新メッセージを通知することができるので、顔認識、人物検出などの精度を向上することが可能となる。
【図面の簡単な説明】
【０００７】
【図１】本発明の実施形態に係る撮像装置の構成を示すブロック図である。
【図２】本発明の第１の実施例に係る人物情報の構成を示す図である。
【図３】本発明の第１の実施例に係る人物情報の更新通知処理のフローチャートを示す図である。
【図４】本発明の第１の実施例に係る人物情報の更新通知の期間を算出するための年齢曲線を示す図である。
【図５】本発明の第１の実施例に係る人物情報の更新通知処理の詳細なフローチャートを示す図である。
【図６】本発明の第１の実施例に係る人物情報の更新通知の画面構成を示す図である。
【図７】本発明の第１の実施例の第１の変形例に係る人物情報の更新通知処理のフローチャートを示す図である。
【図８】本発明の実施形態に係る撮像装置での撮影中の画像の例を示す図である。
【図９】本発明の第１の実施例の第２の変形例に係る人物情報の更新通知処理のフローチャートを示す図である。
【図１０】本発明の第１の実施例の第３の変形例に係る人物年齢の推定処理のフローチャートを示す図である。
【図１１】本発明の第１の実施例の第４の変形例に係る人物情報の構成を示す図である。
【図１２】本発明の第１の実施例の第４の変形例に係る人物情報の更新通知処理の詳細なフローチャートを示す図である。
【図１３】本発明の第２の実施例に係る人物情報の構成を示す図である。
【図１４】本発明の第２の実施例に係る人物情報の構成を示す図である。
【図１５】本発明の第２の実施例に係る人物情報の更新通知処理のフローチャートを示す図である。
【図１６】撮影画像の例を示す図である。
【図１７】本発明の第３の実施例に係る人物情報の構成を示す図である。
【図１８】本発明の第３の実施例に係る顔の特徴量の変化量と顔画像の更新を促す期間との対応関係を示す図である。
【発明を実施するための形態】
【０００８】
以下、本発明の実施形態を添付の図面を参照して詳細に説明する。なお、本実施形態は、顔画像を登録する機能を有する撮像装置に本発明の画像処理装置を適用した場合であるが、これに限るものではなく、例えばカメラとパーソナルコンピュータ（以下、ＰＣ）とを接続したシステム等にも適用できることは明らかである。上述のように、本実施形態に係わる撮像装置は本発明の画像処理装置を備えることにより、人物情報の記憶機能と記憶した人物情報に基づいた人物認識機能とを有する。
【０００９】
図１は、本発明の実施形態に係る撮像装置の構成を示すブロック図である。撮像装置１００は、光学系１０１と、撮像素子１０２と、ＣＰＵ１０３と、一次記憶装置１０４と、二次記憶装置１０５と、記憶媒体１０６と、表示部１０７と、操作部１０８と、通信装置１０９とから構成されている。本発明の画像処理装置は、以下で図を参照して詳細に説明するように、撮像装置に含まれるＣＰＵ１０３、一次記憶装置１０４、二次記憶装置１０５、記憶媒体１０６によって実現される。しかし、ＣＰＵ１０３によって実現される画像処理を、ＣＰＵとそれで制御される画像処理部とからなる構成とした場合においても同様に本発明の画像処理装置を実現できることは明らかである。
【００１０】
光学系１０１は、レンズ、シャッター、絞りから構成されていて、被写体からの光を適切な量とタイミングで撮像素子１０２に結像させる。撮像素子１０２は、光学系１０１により結像された光を画像信号に変換する。ＣＰＵ１０３は、入力された信号やプログラムに従って、各種の演算や、撮像装置１００を構成する各部分の制御を行う。一次記憶装置１０４は、一時的なデータを記憶し、ＣＰＵ１０３の作業領域として使われる。二次記憶装置１０５は、撮像装置１００の撮影動作を制御するためのプログラム（ファームウェア）や各種の設定情報などを記憶する。記憶媒体１０６は、撮影した撮影画像の画像データ、顔辞書などを記憶する。なお、記憶媒体１０６は撮像装置に着脱可能に装着され、撮影後の取り外してＰＣなどに装着してデータを読み出すことが可能である。つまり、撮像装置１００は記憶媒体１０６へのアクセス手段を有し、記憶媒体１０６へのデータの読み書きが行えればよい。また、顔辞書は記憶媒体１０６に記憶される代わりに、二次記憶装置１０５に記録されてもよい。表示部１０７は、撮影時のビューファインダー画像の表示、撮影した画像の表示、対話的な操作のための文字表示などを行う。顔辞書の登録、登録された顔辞書の表示についても表示部１０７で行う。操作部１０８は、使用者の操作を受け付け、それを検出するための構成を有する。例えば、ボタンやレバー、タッチパネルなどを用いて構成することが可能である。通信装置１０９は、外部装置と接続して制御コマンドやデータの送受信を行う。接続を確立し、データ通信するためのプロトコルとしては、例えば、ＰＴＰ（Ｐｉｃｔｕｒｅ  Ｔｒａｎｓｆｅｒ  Ｐｒｏｔｏｃｏｌ）やＭＴＰ（Ｍｅｄｉａ Ｔｒａｎｓｆｅｒ Ｐｒｏｔｏｃｏｌ）が用いられる。なお、通信装置１０９は、例えばＵＳＢ（Ｕｎｉｖｅｒｓａｌ  Ｓｅｒｉａｌ  Ｂｕｓ）ケーブルなどの有線接続により通信を行う構成、または、無線ＬＡＮなどの無線接続により通信を行う構成でもよい。また、外部装置と直接接続する構成でもよいし、サーバを経由し、またはインターネットなどのネットワークを介して外部装置と接続する構成でもよい。
【００１１】
［第１の実施例］
図２の（ａ）は、撮像装置１００（例えば２次記憶装置１０５）に登録できる人物情報（顔辞書）を示している。撮像装置１００では、図２にある人物情報を参照して顔認識を行うことができる。人物情報は、撮像装置に登録されている人物のインデックスを示すＮｏ，顔画像、その属性情報である人物名、生年月日、顔画像、顔画像の撮影日から構成される。図２の（ａ）の例では、撮像装置１００に４人の人物情報が登録されていることを示しており、２０１〜２０４がそれぞれの人物情報に該当する。人物情報２０１は人物名が一郎、生年月日が１９６９年２月３日、顔画像が２０５、顔画像の撮影日が２００９年３月１１日であることを示している。ユーザは、撮像装置に人物情報を登録する際に、顔画像８０５を撮影して、これに関連して人物名と生年月日を撮像装置上の操作部から入力する。なお、撮像装置には日時を記録するためのカレンダーと時計が設定されていることが一般的であるため、顔画像の撮影時に、撮像装置内のカレンダーを用いて撮影日を自動で登録することができる。
【００１２】
ここで、本実施例で説明する顔画像の更新が必要な理由について説明する。顔画像は撮像装置での顔認識に使用されるものである。人の顔は一般的に年齢を重ねるごとに変化するものであり、例えば１０年前の顔画像は現在の顔画像と異なっていることが一般的である。ここで、撮像装置で顔認識を行う際に１０年前の顔画像を使用していると、現在の顔画像と異なっているため顔認識の精度が低下することが予想される。そこで、顔画像の更新を適切な間隔でユーザに通知することが望ましい。
【００１３】
図３は、本実施例に係わる顔画像の更新通知処理のフローチャートを示す図である。なお、本実施例では撮像装置の起動時に顔画像の更新通知処理を行い、更新通知の期間を経過している人物について更新通知を出す場合を例にして本発明を説明する。更新通知処理の実行タイミングも含めて、その処理動作はＣＰＵ１０３が二次記憶装置１０５に記憶されているプログラムをロードして実行することにより制御される。
【００１４】
撮像装置を起動すると、ステップ３０１でＣＰＵ１０３は、内部変数ｎを１に初期化する。このｎは撮像装置に登録された人物情報のインデックスとなっており、ｎが１の場合は人物情報２０１、ｎが２の場合は人物情報２０２を示している。ステップ３０２でＣＰＵ１０３は、インデックスがｎ番目の人物情報を取得する。即ち、ｎが１の場合は人物情報２０１を取得する。
【００１５】
ステップ３０３でＣＰＵ１０３は、人物の年齢に応じた通知期間を算出する。そのために、ｎが１番目である人物の年齢を評価する。人物の年齢は、現在日とその人物の生年月日の差分で求めることができる。人物情報２０６により、一郎さんの年齢は４２歳となる。次に年齢曲線を用いて、年齢が４２歳の場合の通知期間を算出する。年齢曲線を用いると、図４の（ｂ）のように通知期間は２．８年と求めることができる。
【００１６】
次に、ステップ３０４でＣＰＵ１０３は、顔画像の通知期間が経過したかどうかの判定を行なう。まず、CPU１０３は、現在日と顔画像撮影日の差分を算出する。現在日は、撮像装置内のカレンダーから取得することができる。ここでは、２０１１年７月２０日を現在日とする。顔画像の撮影日は、人物情報２０１から取得することができ、ここでは２００９年３月１１日となる。以上から現在日と顔画像の撮影日の差分を算出すると、差分は２．４年となる。次いでＣＰＵ１０３は、算出した差分と、ステップ３０３で算出した人物の年齢に応じた通知期間との比較を行う。
【００１７】
ここで、人物の年齢に応じた通知期間との比較について、図２の（ｂ）と図４を用いて説明する。
【００１８】
図２の（ｂ）は、図２の（ａ）の人物情報にステップ３０４で使用する情報を追加した表である。２１０には、ステップ３０４で算出した、現在日と顔画像の撮影日の差分値である２．４年が記載されている。図４の（ａ）は、人物の年齢に応じた通知期間を算出するためのグラフであり、ここでは年齢曲線と呼ぶ。年齢曲線は撮像装置に予め設定されているものとする。年齢曲線４０１は、年齢が０歳の場合は通知期間１年の値をとり、年齢が上がるにつれて通知期間３年に収束するような曲線を描き、年齢と通知期間の対応情報を与える。
【００１９】
比較を行った結果、年齢に応じた通知期間が過ぎていれば、ステップ３０５においてステップ３０６に分岐する。人物情報２０６の場合は、差分が２．４年で通知期間が２．８年であるため、通知期間がまだ過ぎていない。通知期間が過ぎていない場合は顔画像の更新を行う必要がないと判定して、ステップ３０７へ進む。即ち、現在は一郎さんの顔画像の更新が必要ないと判定されたことになる。
【００２０】
ステップ３０７でＣＰＵ１０３は、撮像装置内の全ての人物を検索したかどうかを判定する。本実施例の場合、人物情報２０１〜２０４に示されるように、撮像装置内に４人の人物情報が登録されている。ｎが１の場合は撮像装置内の全ての人物が検索されていないので、ステップ３０８へ進む。ステップ３０８でＣＰＵ１０３は、ｎの値をインクリメントする。現在のｎの値は１であるため、ｎをインクリメントすることで２になる。
【００２１】
次にステップ３０２へ戻り、ＣＰＵ１０３は撮像装置の２番目の人物情報を取得する。ここで２番目の人物情報は、図２の（ｂ）に２０２に示される。前述のフローと同様にしてステップ３０３〜３０４を実行すると、人物情報２０７が求まる。なお、２番目の人物に対する通知期間は、年齢曲線４０２によって２．７年と求めることができる。ここで人物情報２０７の場合は、差分が２．１年で通知期間が２．７年であるため、通知期間が過ぎていないことになり、ステップ３０５からステップ３０７へ進む。即ち、２番目の人物も顔画像の更新が必要ないと判定されたことになる。
【００２２】
次にｎが３の場合は、人物情報が２０８が求まる。なお、３番目の人物に対する通知期間は、年齢曲線４０２によって２．１年と求めることができる。ここで人物情報２０８の場合は、差分が２．４年で通知期間が２．１年であるため、通知期間が過ぎていることになり、ステップ３０６へ進む。即ち、３番目の人物の顔画像の更新が必要であると判定されたことになる。
【００２３】
ステップ３０６でＣＰＵ１０３は、ｎ番目の人物を更新対象リストに追加する。ここでは３番目の人物が更新対象リストに追加される。このように、人物２０１と２０３は顔画像の撮影日は２００９年３月１１日で同一であるが、人物２０３の方が人物２０１より年齢が若いため、前述のフローによって算出される顔画像の更新の通知期間は短くなる。同様の手順で、４番目の人物に対してＣＰＵ１０３がステップ３０２〜３０５を実行すると、人物情報は２０９のようになるため、ステップ３０６で更新対象リストに追加される。
【００２４】
ステップ３０７へ進むと、撮像装置に登録された４人の人物を検索したことになるため、ステップ３０９へ進む。ステップ３０９でＣＰＵ１０３は、更新対象リストに１人以上の人物が登録されているかを判定する。前述のフローにより、人物２０３と２０４が更新対象リストに登録されたため、ここではステップ３１０へ進む。ステップ３１０では、更新対象リストに登録されている人物に対して、人物情報の更新を促すメッセージを通知する。
【００２５】
続いて、ステップ３１０の詳細フローについて、図５を用いて説明する。
【００２６】
図５は、顔画像の更新を促すメッセージの通知処理の詳細なフローチャートを示す図である。
【００２７】
ステップ５０１でＣＰＵ１０３は、内部変数ｍを１に初期化する。このｍは、図３のステップ３０６で更新対象リストに登録された人物のインデックスとなっており、本実施例では人物２０３と２０４のインデックスを示すものになる。ステップ５０２でＣＰＵ１０３は、ｍ番目の人物の顔画像の更新を促すメッセージを通知する。
【００２８】
メッセージ通知時の撮像装置のＵＩを図６に示す。撮像装置の表示部６０１の画面には、ｍ番目の人物の顔画像の更新を促すメッセージ６０２を表示している。６０３は、ｍ番目の人物情報として、顔画像と生年月日と顔画像の撮影日を表示している。撮像装置の操作部１０８を用いてユーザが顔画像の更新を行うことを選択した場合は、図５のステップ５０４へ進む。
【００２９】
図５の説明に戻る。ステップ５０４では、顔画像の撮影を行って人物情報を更新する。人物情報の更新手順については省略するが、人物情報２０３の場合は、顔画像２１３と顔画像の撮影日２１４が更新されることになる。ステップ５０４で顔画像の撮影が終了すると、ステップ５０５へ進む。ステップ５０５でＣＰＵ１０３は、更新対象リストの全ての人物を検索したかを判定する。本実施例の場合は、人物２０４の更新通知が終わっていないため、ステップ５０６へ進む。
【００３０】
ステップ５０６でＣＰＵ１０３は、ｍの値をインクリメントする。現在のｍの値は１であるため、ｍをインクリメントすることで２になる。次にステップ５０２へ戻り、前述のフローと同様の手順で、ＣＰＵ１０３は顔画像の更新を促すメッセージを通知する。ここで、ステップ５０３で撮像装置の操作部１０８を用いてユーザが顔画像の更新を行わないことを選択した場合は、ステップ５０５へ進む。即ち顔画像の撮影は行わず、人物情報も更新されない。
【００３１】
以上のように更新対象リストの全ての人物に対して更新通知を行うと、図５のフローは終了となる。ここで、人物２０３と人物２０４の顔画像を更新した場合の、更新後の人物情報を図２の（ｃ）に示す。人物２１５、２１６は顔画像の更新は必要ないと判定されたため、人物情報は変更されていない。人物２１７、２１８は、顔画像２１９、２２０と、顔画像の撮影日２２０、２２１が更新されている。このように、前述した手順によって人物の年齢に応じて適切タイミングで顔画像の更新を通知することができる。従って、成人した大人のように顔の変化が少ないことが予想される場合は、顔画像の更新通知の間隔を長くすることができる。また、子供のように顔に変化が起こり易いことが予想される場合は、顔画像の更新通知の間隔を短くすることができる。また、通知画面から顔画像の更新を選択して行なうことができるので、更新手続きが簡便となる。
【００３２】
前述の実施例は、撮像装置の起動時に顔画像の更新通知期間の経過を判定するものであった。しかし、その判定は、撮像装置の起動時だけでなく、撮像装置での撮影中または撮影後でも可能である。次に、これら２つ例を第１および第２の変形例として説明する。
【００３３】
［第１の変形例］
図７は、本発明の第１の実施例の第１の変形例に係わる登録された顔画像の更新通知処理のフローチャートを示す図ある。同図において、図３および図５と同じステップは同じ符号を付して示す。なお、ここでの撮影中とは、撮像装置に電源を入れた状態で光学系１０１から光を取り込み、撮像素子１０２で画像信号に変換している状態である。また、本変形例でも撮像装置には２０１〜２０４の４人の人物情報が登録されているものとする。
【００３４】
ステップ７０１でＣＰＵ１０３は、撮影中の画像に顔が含まれているかどうかを判定（する。例えば、図８の（ａ）にように撮影中の画像８０１に顔が含まれていない場合は、図７のフローは終了となる。図８の（ｂ）のように撮影中の画像８０２に顔が含まれている場合は、ステップ７０２へ進む。ステップ７０２でＣＰＵ１０３は、画像８０２から顔画像８０３を抽出し、顔画像８０３が撮像装置に登録されている人物であるかどうかを判定する。撮像装置には４人の人物情報が登録されているため、撮影中の顔画像８０３と撮像装置に登録されている顔画像２０５、２２２、２１３、２２３の特徴量を比較して、撮像装置に登録されている人物であるかどうかを識別する。ここでは、撮影中の顔画像８０３は２２３の顔画像と同一人物であると識別されたとして本変形例の説明を行う。撮像装置に登録されている人物であると識別された場合はステップ３０３へ進む。ステップ３０３〜３０５は、既に説明した図３のフローチャートのステップ３０３〜３０５と同一であるためここでの説明は省略する。また、ステップ５０２〜５０４は、既に説明した図５のフローチャートのステップであるためここでの説明は省略する。なお、ステップ５０２ではｍ番目の人物に対して顔画像の更新通知を行ったが、本変形例では、ステップ７０２で撮像装置に登録されていると判定された人物に対して更新通知を行うものとする。従って、ここでは人物２０４に対して更新通知を行う。以上のように、図７のフローに従うことで、撮像装置に登録された人物を撮影しようとした場合に顔画像の更新通知期間の経過を判定することができる。なお、図７のフローでは撮影中の画像に顔が１つ含まれている場合を例にして説明したが、同様の手順を繰り返すことで、顔が２つ以上含まれる場合についても可能となる。
【００３５】
［第２の変形例］
図９は、本発明の第１の実施例の第２の変形例に係わる顔画像の更新通知処理フローチャートを示す図である。同図において、図３および図５と同じステップは同じ符号を付して示す。なお、図７のフローチャートと異なる点はステップ９０１のみである。また、本変形例でも撮像装置には２０１〜２０４の４人の人物情報が登録されているものとする。
【００３６】
ステップ９０１でＣＰＵ１０３は、撮影した画像に顔が含まれているかを判定する。図７のフローと異なるのは、図７のフローでは撮影中の画像に対して顔が含まれているかどうかを判定したのに対して、図９のフローでは撮影した後の画像に対して顔が含まれているかどうかを判定している点である。撮影した画像に顔が含まれている場合は、ステップ７０２へ進む。ステップ７０２、３０３〜３０５、５０２〜５０４は、図７のフローチャートと同様に、既に第１の実施例で説明したのでここでの説明は省略する。以上のように、図９のフローに従うことで、撮像装置に登録された人物を撮影した後に顔画像の更新期間の経過を判定することが可能となる。
【００３７】
［第３の変形例］
次に、本発明の第１の実施例の第３の変形例を図１０を参照して説明する。本変形例は、撮像装置に登録された人物の年齢を、生年月日を使用しないで評価する例である。
【００３８】
図３のステップ３０３で人物の年齢を求める際に、前述の第１の実施例では撮像装置に登録された生年月日を使用していた。しかし、撮影した顔画像から特徴量を抽出して、対象人物の年齢を推定することが可能である。本変形例では、撮影した顔画像の特徴量から人物の年齢を推定する方法について、図１０を用いて説明する。なお、撮像装置には図１１に示した人物情報１１０１が登録されているものとする。また、前述の説明で使用した図２の人物情報と異なるのは、顔画像の属性情報としての生年月日が登録されていない点である。生年月日を使用しない利点としては、人物情報の登録時にユーザが生年月日を入力する作業が不要になることが挙げられる。
【００３９】
図１０は、撮影した顔画像の特徴量から人物の年齢を判定する処理のフローチャートを示す図である。ステップ１００１でＣＰＵ１０３は、撮像装置に登録された顔画像の特徴量を算出する。例えば、人物情報１１０２の場合は、顔画像１１０６から特徴量を算出する。ステップ１００２でＣＰＵ１０３は、算出した特徴量から人物の年齢を推定する。なお、顔画像の特徴量から人物の年齢を推定する方法は一般的に存在するため、詳細については省略する。ステップ１００３でＣＰＵ１０３は、撮像装置内の人物情報に年齢を登録する。例えば、ステップ１００２で人物１１０２の年齢が４２歳であると判定された場合は、人物情報１１０２に４２歳という年齢を登録する。このように登録した年齢を用いることで、生年月日の情報がなくても図３のステップ３０３において、人物の年齢に応じた通知期間を求めることが可能となる。なお、前述のステップ１００１〜１００３の処理によって人物の年齢を撮像装置に登録した場合は、今後ステップ３０４で人物の年齢を求める際に、撮像装置に登録した年齢を使用することができる。以上のように、顔画像の特徴量から人物の年齢を推定することでも、人物の年齢に応じた通知期間を決定することが可能となる。
【００４０】
［第４の変形例］
次に、本発明の第１の実施例の第４の変形例を図を参照して説明する。
【００４１】
上述した実施例および変形例では、顔画像の更新期間が過ぎている場合に、新しい顔画像を登録する通知を出していた。しかし、撮像装置に人物情報が登録されているが、その人物情報が使われる機会が少ない場合は、人物情報の登録の代わり、又は登録とともに削除を選択肢として提示してもよい。なお、人物情報の削除の通知は、図３のフローチャートのステップ３１０で行うものとする。図３のステップ３０１〜ステップ３０９までは前述の第１の実施例と同一になるので、ここでは説明を省略する。また、撮像装置には人物情報２０１〜２０４が登録されているものとする。従って、更新対象リストに人物２０３と人物２０４が含まれている状態で、ステップ３１０へ進むものとする。また、人物２０３は後述する図１３の（ａ）の人物１３０４と同一であり、人物２０４は人物１３０５と同一である。
【００４２】
図１２は、ステップ３１０の更新通知に応じて行なわれる人物情報の削除処理のフローチャートを示し図である。同図において図５と同じステップは同じ符号を付して示す。
ステップ１２０１でＣＰＵ１０３は、内部変数ｍを１に初期化する。内部変数ｍは前述の内容と同一であるため、ここでは説明を省略する。ステップ１２０２でＣＰＵ１０３は、ｍ番目の人物の撮影回数が所定の閾値以上であるかを判定する。ここでの撮像装置は、顔画像を登録した後にその人物を撮影した回数を属性情報として記録できるものとする。図１３の（ａ）の人物情報１３０１は、対象人物の撮影回数を記録した一例を示している。ステップ１２０２で判定を行う際の閾値を３０回とすると、人物１３０４の撮影回数は６０回であるため閾値以上である。従って、処理はステップ５０４へ進み、顔画像の更新処理を行う。なお、ステップ５０４は既に説明した図５のステップ５０４であるため、ここでの説明は省略する。
【００４３】
次にステップ１２０４でＣＰＵ１０３は、ｍ番目の人物の撮影回数を０にリセットする。これは、次回の顔画像更新時にステップ１２０２で同様の判定を行うために必要なものである。ステップ５０５〜５０６は、図５のステップ５０５〜５０６であるため、ここでの説明を省略する。
【００４４】
次に、ｍが２の場合の人物情報は１３０５となる。人物１３０５の撮影回数は５回であるため、閾値が３０回の場合は閾値以下となる（ステップ１２０２）。従って人物１３０５の場合は、ステップ１２０２からステップ１２０７へ進む。ステップ１２０７でＣＰＵ１０３は、ｍ番目の人物の人物情報の削除を促すメッセージを通知する。通知画面は、図６に示す画面に倣って適宜設定すればよい。撮像装置に登録できる人物数には上限が定められていることが一般的であるため、使用する頻度の少ない人物情報を削除することで、新しい人物情報を登録することが可能となる。
【００４５】
ステップ１２０７で人物情報削除のメッセージを通知した後に、ユーザが人物情報を削除することを選択した場合はステップ１２０９へ進む。ステップ１２０９でＣＰＵ１０３は、ｍ番目の人物情報を削除する。ここでは、人物１３０５の人物情報を削除する。
【００４６】
以上のように、顔画像登録後に対象人物を撮影した回数を活用することで、使用頻度の少ない人物情報を削除することが可能となる。また、図１２のフローでは撮像装置に登録した人物の撮影回数をステップ１２０２の判定条件として使用したが、他の判定条件の例として、対象人物を最後に撮影した日を判定条件として使用することができる。その場合、ステップ１２０２において、撮像装置に登録した人物を最後に撮影した日と現在日の差分を算出して、その差分が所定の閾値以上であれば人物情報の削除を通知することが可能である。例えば、図１３の（ｂ）にあるように、対象人物を最後に撮影した日が現在日に近い人物１３０６であればステップ１２０４へ進み、対象人物の最後の撮影日が現在日から遠い人物１３０７であればステップ１２０７へ進む。このようにして、対象人物を最後に撮影した日と現在日の差分を活用することができる。
【００４７】
［第２の実施例］
次に、本発明の第２の実施例を図を参照して説明する。
【００４８】
図３のステップ３０４では、人物の年齢に応じた通知期間を算出するために、年齢曲線４０１を使用した。本実施例では、年齢曲線を使用せずに、画像撮影時の撮影モードを用いて通知期間を決定する。ここでの撮影モードとは、設定したモードによって撮像装置の撮影パラメータを自動で設定するためのものである。撮影モードの例として、「夜景」、「キッズ」、「赤ちゃん」が挙げられる。例えば、撮影モードが「夜景」であれば夜景を撮影するのに最適に設定された撮影パラメータが撮像装置に自動で設定される。また、「キッズ」であれば子供を撮影するのに最適に設定された撮影パラメータが撮像装置に自動で設定される。このような撮影モードの活用例として、ユーザが子供の写真を撮影する際に撮影モードを「キッズ」に設定したり、赤ちゃんの写真を撮影する際に撮影モードを「赤ちゃん」に設定することが挙げられる。なお、撮影モードを用いた通知期間の決定方法については、顔画像登録時の撮影モードを使用する例と、撮像装置での撮影中の撮影モードを使用する例の２つについて説明する。
【００４９】
まずは、顔画像の登録時の撮影モードから通知期間を決定する処理について説明する。ここで、撮像装置には図１４の（ａ）に示した人物情報１４０１が登録されているものとする。前述の説明で使用した図２の人物情報とは、生年月日が登録されていない点と撮影モードが登録されている点が異なっている。例えば、人物情報１４０２には顔画像撮影時の撮影モードとしてポートレイトが登録されており、顔画像登録時に撮影モードをポートレイトにしたことを示している。同様に、人物情報１４０３〜１４０５には、それぞれポートレイト、赤ちゃん、キッズという撮影モードが登録されている。また、撮像装置には撮影モードに対応じた通知期間が予め設定されている。図１４の（ｂ）の１４０６は、撮影モードに対応じた通知期間を示し、撮像装置に予め登録されているものとする。１４０７では撮影モードが赤ちゃんであるので、通知期間は１年と決定される。同様にしてキッズの場合は通知期間が２年と、また赤ちゃんとキッズ以外の場合は３年と決定される。このように、年齢が小さい場合は通知期間を短くすることで、顔画像の更新を促す間隔を短くすることが可能になる。このように、図１４の（ｂ）の表を使用してステップ３０３において人物の年齢に応じた通知期間を決定することが可能となる。なお、更新通知処理自体は、上述の第１の実施例と同様の手順を適用可能である。
【００５０】
次に、撮像装置での撮影中に設定している撮影モードに対応して決定した通知期間に基づく更新通知処理を図１５のフローチャートを用いて説明する。同図において、図３、図５および図７と同じステップは同じ符号を付して示す。なお、撮像装置には図１１に示した人物情報１１０１と、撮影モードに応じた通知期間１４０６が登録されている。
【００５１】
まず、ユーザが撮影モードを「キッズ」にして、図８の（ｂ）の８０２の画像を撮影している場合を例にする。
【００５２】
ステップ７０１でＣＰＵ１０３は、撮影中の画像に顔が含まれているかを判定する。なお、ステップ７０１は既に説明した図７のステップ７０１であるため、ここでの説明は省略する。
【００５３】
ステップ１５０１でCPU１０３は、撮影中の画像に含まれている顔が１つであるかどうかを判定する処理である。顔が２つ以上である場合は、図１５のフローは終了となる。ここで、顔が２つ以上の場合に図１５のフローを終了する理由について説明する。例えば、撮影モードが「キッズ」であっても図１６の画像１６０１のように複数人の顔が写っている場合は、どの人物が「キッズ」に該当するかを判定することができない。そこで、図８の（ｂ）の画像８０２のように、顔が１つの場合にステップ７０２へ進む。
【００５４】
ステップ７０２は、既に説明した図７のステップ７０２であるため、ここでの説明は省略する。なお、画像８０２に含まれている人物８０３は、ステップ１５０１において撮像装置に登録されている人物１１０５であると判定されたとする。
【００５５】
ステップ１５０２では、登録する顔画像の撮影モードから通知期間を決定する。この場合、撮影モードは「キッズ」であるため、１４０８に示されるように通知期間は２年と決定される。
【００５６】
ステップ１５０３でＣＰＵ１０３は、図３のステップ３０４と同様にして登録顔画像の通知期間が経過したかどうかの判定を行なう。ここでは、人物情報が１１０５で現在日が２０１１年７月２０日である場合は、現在日と顔画像の撮影日の差分は２．１年となる。従って、現在日と顔画像の撮影日の差分の方がステップ１５０３で決定された通知期間より長いため、ステップ３０５においてステップ７０６へ進む。ステップ３０５〜７０８は、既に説明した図３および図７のステップ３０５、７０６〜７０８であるため、ここでの説明は省略する。
【００５７】
このようにして、撮影中の撮影モードに応じて閾値を決定することができる。つまり、撮影モードを「キッズ」にして撮影を行っている場合は子供が撮影される可能性が高いので、顔画像の更新の通知期間を短くすることが可能となる。
【００５８】
上述した本発明の第２の実施例によっても、第１の実施例と同様に、人物の年齢に応じて適切タイミングで顔画像の更新を通知することができる。また、通知画面から顔画像の更新を選択して行なうことができるので、更新手続きが簡便となる。
【００５９】
［第３の実施例］
次に、本発明の第３の実施例を図を参照して説明する。本実施例では、顔画像の更新時に前回の顔画像の今回の更新画像との間の特徴量との変化量を算出して人物情報として記憶し、この算出された変化量に基づいて次に顔画像の更新を促すメッセージを通知するまでの期間を決定する。この場合、通知するかどうかの判定は、前回の更新日と決定された通知期間とから指定される通知日と現在日との比較の結果から判定される。更新通知処理の他の処理は、第１又は第２の実施例の処理を適用できる。
【００６０】
図１７の１７０１は、本実施例において撮像装置に登録されている人物情報の構成を示している。１７０１を見ると、撮像装置には４人の人物情報１７０２〜１７０５が登録されていることが分かる。各人物の顔画像の撮影日は、全て２００９年１月１日である。ここで、撮像装置に初めて人物情報を登録した際は、次に顔画像の更新を促すまでの期間として一定の期間が設定されるものとする。１７０１の例では、顔画像の撮影日の１年後である２０１０年１月１日に更新通知を行うものとしている。次に、１年が経過して２０１０年１月１日になると、撮像装置の起動時に顔画像の更新を促すメッセージが通知される。
【００６１】
次に、この通知に従ってユーザが顔画像の更新を行う際の撮像装置の処理について、図１７の（ｂ）に示す更新登録後の人物情報１７０６を用いて説明する。
【００６２】
１７１１は、前回登録した顔画像である。即ち、顔画像１７１１は顔画像１７１５と同一である。１７１２は、今回登録した顔画像である。１７１３は、顔画像１７１１と顔画像１７１２の特徴量を算出して、その変化量を示したものである。例えば人物１７０７の場合は、前回登録した顔画像と今回登録した顔画像の変化量が少ないため、顔の特徴量の変化量は「小」となっている。人物１７０８についても同様である。人物１７０７、１７０８のように、ある程度成人した人物であれば、月日が経っても顔の変化が少ないことが一般的である。また、人物１７０９の場合は、前回登録した顔画像と今回登録した顔画像にある程度の変化があるため、１７１３に示した顔の特徴量の変化量は「中」となっている。同様にして、人物１７１０の場合は、顔の特徴量の変化量は「大」となっている。人物１７０９、１７１０のように年齢が低い子供の場合は、年をとるにつれて顔の変化が起こり易いことが一般的である。このような顔の特徴量の変化量に対して、顔画像の更新を促す通知期間を定めたものが図１８の１８０１である。１８０２では、顔の特徴量の変化量が大きい場合に対応して、顔画像の更新を促す通知期間を１年と決定する。これは前回の顔画像と今回の顔画像を比較して、顔画像に変化が起こっている場合は、短い周期で顔画像の更新を通知するようにするためである。同様にして、１８０３では顔の特徴量の変化量が「中」の場合に対応して、顔画像の更新を促す通知期間を２年と決定する。また、１８０４では顔の特徴量の変化量が「小」の場合に対応して、顔画像の更新を促す通知期間を３年と決定する。
【００６３】
図１７の説明に戻る。人物１７０７は顔の特徴量の変化量が小さいため、図１８に従うと、顔画像の更新を促す通知期間は３年と決定される。即ち、２０１１年１月１日に顔画像の更新を行った場合は、３年後の２０１３年１月１日に、次回の顔画像の更新を促すメッセージが通知される。人物１７０８も同様に、２０１３年１月１日に次回の顔画像の更新を促すメッセージが通知される。人物１７０９では、顔の特徴量の変化量が「中」のため、２年後の２０１２年１月１日に、次回の顔画像の更新を促すメッセージが通知される。人物１７１０では、顔の特徴量の変化量が「大」のため、１年後の２０１１年１月１日に、次回の顔画像の更新を促すメッセージが通知される。このようにして、顔画像の更新時に前回の顔画像の特徴量との変化量を算出して、次に顔画像の更新を促すメッセージを通知する期間を決定することが可能となる。
【００６４】
上述した本発明の第２の実施例によっても、第１の実施例と同様に、人物の年齢に応じて適切なタイミングで顔画像の更新を通知することができる。また、通知画面から顔画像の更新を選択して行なうことができるので、更新手続きが簡便となる。
【００６５】
なお、第２および第３の各実施例においても、第１の実施例と同様に上述して第１、第２および第４の変形例を適用することが可能である。また、第４の変形例は他の変形例に適用するこことも可能である。
【００６６】
［他の変形例］
ここで、上述した実施例および変形例のそれぞれで使用されている人物情報（顔辞書）に係る変形例について説明する。
まず、顔辞書に登録する顔画像を、人物ごとに所定の複数枚（例えば５枚程度）までの登録を可能とし、その場合、画像毎に日付を管理して期間の経過を判定し、その結果に従って画像の更新を通知する。通知の内容としては、上述した実施例及び変形例に従って、通知が必要と判断された画像ごとに行う他に、同じ人物の複数の画像が全体として有効な人物情報であるべきということから、以下の変形例としてもよい。
【００６７】
登録されている複数枚の顔画像のうち、期間が経過したと判定された画像の枚数を検出し、検出された枚数に従って、登録画像の更新を催促する頻度や通知に含まれるメッセージ内の更新お勧め度の強度を変えようにしてもよい。
また、検出された枚数が、例えば１又は２枚であるような、少ない枚数である場合は、更新を促す通知をし、この通知後にユーザが登録画像の更新をしなくても撮像装置１００による撮影は許可するようにしてもよい。一方、検出された枚数が登録されている複数画像の全部または大部分に相当する枚数である場合は、通知において顔辞書の削除をユーザに勧めるか、または、更新を促す通知をし、通知後にユーザが1枚も登録画像を更新しないときは、撮影を許可しないようにしてもよい。
【００６８】
以上説明した実施の形態での処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリーカード、ＲＯＭなどを用いることもできる。
【００６９】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００７０】
さらに、記憶媒体から読み出されたプログラムコードが、コンピュータに挿入された機能拡張ボードやコンピュータに接続された機能拡張ユニットに備わるメモリーに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【００７１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【図１】
2014182485.tif 000003
【図２】
2014182485.tif 000004
【図３】
2014182485.tif 000005
【図４】
2014182485.tif 000006
【図５】
2014182485.tif 000007
【図６】
2014182485.tif 000008
【図７】
2014182485.tif 000009
【図８】
2014182485.tif 000010
【図９】
2014182485.tif 000011
【図１０】
2014182485.tif 000012
【図１１】
2014182485.tif 000013
【図１２】
2014182485.tif 000014
【図１３】
2014182485.tif 000015
【図１４】
2014182485.tif 000016
【図１５】
2014182485.tif 000017
【図１６】
2014182485.tif 000018
【図１７】
2014182485.tif 000019
【図１８】
2014182485.tif 000020